【事件の表示】
　特願２０１６−　１１１２２「眼底撮影装置」拒絶査定不服審判事件〔平成２９年　７月２７日出願公開、特開２０１７−１２７５９７、請求項の数（２）〕について、次のとおり審決する。
【結　論】
　原査定を取り消す。
　本願の発明は、特許すべきものとする。
【理　由】
第１　手続の経緯
　本願は、平成２８年１月２２日の出願であって、その手続の経緯は以下のとおりである。
　平成３１年　１月２１日　　：手続補正書の提出
　令和　元年１０月２９日付け：拒絶理由通知書
　令和　２年　３月　４日　　：意見書、手続補正書の提出
　令和　２年　６月１５日付け：拒絶理由（最後の拒絶理由）通知書
　令和　２年　８月２４日　　：意見書、手続補正書の提出
　令和　２年１１月１８日付け：令和２年８月２４日の手続補正についての
　　　　　　　　　　　　　　　補正の却下の決定、拒絶査定
　令和　３年　２月２４日　　：審判請求書、手続補正書の提出
第２　原査定の概要
　原査定（令和２年１１月１８日付け拒絶査定）の概要は次のとおりである。
　本願の請求項１ないし３に係る発明は、以下の引用文献１〜３に基づいて、当業者が容易に発明できたものであるから、特許法第２９条第２項の規定により特許を受けることができない。
引用文献１：特開２０１５−１９５８７６号公報
引用文献２：特開２０１５−４３８４４号公報
引用文献３：特開昭６４−３４３２１号公報
第３　審判請求時の補正（令和３年２月２４日提出の手続補正書による手続補正）について
　審判請求時の補正は、特許法第１７条の２第３項から第６項までの要件に違反しているものとはいえない。審判請求時の補正によって請求項１において「アライメント指標形成光学系」に「前記アライメント光源からのアライメント光による角膜反射像を撮像する撮像素子であって前記受光素子とは別体で且つ眼底共役位置に配置された撮像素子を更に備え」という事項を追加する補正は、特許請求の範囲の減縮を目的とするものである。また、当該事項は、第２実施形態として段落【００８４】〜【００９８】に記載され、当初明細書等に記載された事項であるから、新規事項を追加するものではないといえる。
　そして、「第４　本願発明」から「第６　対比・判断」までに示すように、補正後の請求項１及び２に係る発明は、独立特許要件を満たすものである。
第４　本願発明
　本願の請求項１及び２に係る発明（以下、それぞれ「本願発明１」及び「本願発明２」という。）は、令和３年２月２４日提出の手続補正書により手続補正された特許請求の範囲の請求項１及び２に記載された事項により特定される以下のとおりの発明である。（下線は補正箇所を示す。）
「　【請求項１】
　眼底に照明光を照射するための照射光学系、前記照明光による前記眼底からの光を受光素子に受光させる受光光学系、および、前記照射光学系と前記受光光学系との共通光路上の前眼部共役位置に配置されており、前記照明光を被検眼の眼底上で走査するための光スキャナ、を備え、前記受光素子からの受光信号に基づいて前記眼底の正面画像を取得するための走査型眼底撮影光学系と、
　被検眼が予め定められた適正作動距離に位置するときの前眼部共役位置に配置されるアライメント光源を備え、前記アライメント光源からのアライメント光を前記照射光学系の光路を介して被検眼の角膜に向けて出射すると共に、
前記アライメント光源からのアライメント光による角膜反射像を撮像する撮像素子であって前記受光素子とは別体で且つ眼底共役位置に配置された撮像素子を更に備え、
、作動距離方向のアライメント状態に応じた眼底共役面での結像状態で撮像するための
　前記照射光学系における前記光スキャナと被検眼との間の光路に配置され、前記アライメント光の投
受
　前記
撮像素子によって撮像された
前記受光素子からの受光信号に基づく
を備える眼底撮影装置。
　　【請求項２】
　被検眼からの測定光と参照光との干渉信号を受光して前記被検眼の断層像を取得するためのＯＣＴ光学系と、
　前記前記ＯＣＴ光学系と前記走査型眼底撮影光学系の光路と結合させるための光路結合部と、
　を備え、被検眼に対する前記ＯＣＴ光学系のアライメントは、前記撮像画像に形成されたアライメント指標を用いて行われることを特徴とする請求項
１
第５　引用文献、引用発明等
１　引用文献１について
（１）引用文献１の記載
　原査定の拒絶の理由に引用された引用文献１には、図面とともに次の事項が記載されている。（下線は当審が付与した。以下同じ。）
（引１ア）
「【技術分野】
【０００１】
　
被検眼の眼底を撮影するための眼底撮影装置
（引１イ）
「【００１１】
　＜第１の概要＞
　本装置１は、干渉光学系（ＯＣＴ光学系）２００と、
眼底照明光学系
１０と、眼底撮影光学系
３０と、制御部
と、を
備える
・・・
【００３１】
　＜第１正面画像（例えば、ＯＣＴ正面画像８４）と第２正面画像（例えば、ＦＣ正面画像９２）の表示（例えば、図３参照）＞
　
制御部
は、
表示制御部として用いられ
表示制御部は、
眼底撮影光学系３０の二次元撮像素子からの撮像信号に基づく眼底Ｅｆの正面観察画像である第２の正面画像
を
表示し
【００３２】
　これによって、例えば、第１の正面画像を用いた干渉光学系２００の調整と、第２の正面画像を用いた眼底照明光学系１０又は眼底撮影光学系３０の調整を適正に実行できる。干渉光学系２００の調整としては、例えば、走査位置の調整、固視灯位置の調整、フォーカス調整、偏波コントロール等がありうる。眼底照明光学系１０又は眼底撮影光学系３０の調整としては、被検眼に対するアライメント又はフォーカス調整等がありうる。その結果として、良好な断層画像と、良好な眼底正面画像（例えば、カラー眼底画像、蛍光眼底画像）をスムーズに撮影できる。
【００３３】
　なお、第１の正面画像と、
第２の正面画像は
ライブ画像として表示される
・・・
【００４５】
　＜第２の正面画像への指標の表示＞
　なお、本装置１には、被検眼に指標を投影するための指標投影光学系が設けられてもよい。指標投影光学系としては、被検眼眼底にフォーカス指標（例えば、スプリット指標）を投影するための指標投影光学系（例えば、フォーカス指標投影光学系４０）、被検眼にアライメント指標を投影するための指標投影光学系（例えば、赤外光源５５）、被検眼に対して固視標を投影するための指標投影光学系、の少なくともいずれかが考えられる。
【００４６】
　指標投影光学系による被検眼からの反射光は、眼底撮影光学系３０の二次元撮像素子（例えば、二次元撮像素子３８）によって撮像されてもよい。この場合、
表示制御部は、二次元撮像素子からの撮像信号に基づく指標を第２の正面画像上に表示
Ｗ１・Ｗ２
（引１ウ）
「【００５５】
　＜その他＞
　なお、本実施形態は、上記に限定されず、他の光学系においても、上記制御の実施は可能である。例えば、眼底照明光学系１０は、被検眼眼底上を照明光により照明するための光学系であってもよい。眼底撮影光学系３０は、照明光により照明された眼底の正面画像を受光素子によって撮影するための光学系であってもよい。
【００５６】
　眼底照明光学系１０、眼底撮影光学系３０としては、例えば、前述のように眼底の二次元領域を同時に照明し、受光素子（例えば、二次元撮像素子）によって眼底正面画像を撮影する構成であってもよい。また、眼底照明光学系１０、眼底撮影光学系３０としては、例えば、ＳＬＯであってもよい。ＳＬＯは、例えば、眼底をレーザ走査し、その反射光を受光素子（例えば、ポイントセンサ）によって受光することによって眼底正面画像を撮影できる。」
（引１エ）
「【００７３】
　＜実施例＞
・・・
【００８０】
　図２に示すように、本実施例の光学系は、照明光学系１０、撮影光学系３０、干渉光学系２００（以下、ＯＣＴ光学系ともいう）２００を主に備える。さらに、光学系は、フォーカス指標投影光学系４０、アライメント指標投影光学系５０、前眼部観察光学系６０を備えてもよい。
照明光学系１０及び撮影光学系３０は、
眼底カメラ光学系
１００として用いられる
撮影光学系３０は、被検眼の眼底画像を撮像する
【００８１】
　＜眼底カメラ光学系（ＦＣ光学系）＞
　以下、眼底カメラ光学系１００の光学配置の一例を示す。
【００８２】
　＜照明光学系＞
　
照明光学系１０は、
観察照明光学系と撮影照明光学系を有する
撮影照明光学系は、撮影光源１４、コンデンサレンズ１５、リングスリット１７、リレーレンズ１８、ミラー１９、黒点板２０、リレーレンズ２１、孔あきミラー２２、対物レンズ２５を
備える
【００８３】
　また、
観察照明光学系は、観察光源１１、赤外フィルタ１２、コンデンサレンズ１３、ダイクロイックミラー１６、リングスリット１７から対物レンズ２５までの光学系を
備える
【００８４】
　＜撮影光学系＞
　
撮影光学系３０は、
対物レンズ２５、撮影絞り３１、フォーカシングレンズ３２、結像レンズ３３、撮像素子３５が
配置されている
撮影絞り３１は、孔あきミラー２２の開口近傍に位置する
撮影絞り３１は対物レンズ２５に関して被検眼Ｅの瞳孔と略共役な位置に配置されている
【００８５】
　また、
結像レンズ３３と撮像素子３５の間には、
ダイクロイックミラー３７が配置される
ダイクロイックミラー３７の反射方向には、
撮像素子３８が配置されている
・・・
【００８８】
　
観察光源１１を発した光束は、
被検眼Ｅの瞳孔付近で一旦収束した後、拡散して被検眼眼底部を照明する
【００８９】
　また、
眼底からの反射光は、
撮像素子３８に結像する
撮像素子３８は、眼底と共役位置に配置されている
・・・
【００９３】
　＜アライメント指標投影光学系＞
　アライメント用指標光束を投影するアライメント指標投影光学系５０には、図２における左上の点線内の図に示すように、撮影光軸Ｌ１を中心として同心円上に４５度間隔で赤外光源が複数個配置されている。本実施例における眼科撮影装置は、第１視標投影光学系（０度、及び１８０）と、第２視標投影光学系と、を主に備える。第１視標投影光学系は、赤外光源５１とコリメーティングレンズ５２を持つ。第２視標投影光学系は、第１指標投影光学系とは異なる位置に配置され、６つの赤外光源５３を持つ。赤外光源５１は、撮影光軸Ｌ１を通る垂直平面を挟んで左右対称に配置される。この場合、第１指標投影光学系は被検眼Ｅの角膜に無限遠の指標を左右方向から投影する。第２指標投影光学系は被検眼Ｅの角膜に有限遠の指標を上下方向もしくは斜め方向から投影する構成となっている。なお、図２の本図には、便宜上、第１指標投影光学系（０度、及び１８０度）と、第２指標投影光学系の一部のみ（４５度、１３５度）が図示されている。
【００９４】
　＜前眼部観察光学系＞
　被検眼の前眼部を撮像する前眼部観察（撮影）光学系６０は、ダイクロイックミラー２４の反射側に、ダイクロイックミラー６１、絞り６３、リレーレンズ６４、二次元撮像素子（受光素子：以下、撮像素子６５と省略する場合あり）６５を主に備える。撮像素子６５は、赤外域の感度を持つ。また、撮像素子６５はアライメント指標検出用の撮像手段を兼ね、赤外光を発する前眼部照明光源５８により照明された前眼部とアライメント指標が撮像される。前眼部照明光源５８により照明された前眼部は、対物レンズ２５、ダイクロイックミラー２４及びダイクロイックミラー６１からリレーレンズ６４の光学系を介して撮像素子６５により受光される。また、アライメント指標投影光学系５０が持つ光源から発せられたアライメント光束は被検眼角膜に投影される。その角膜反射像は対物レンズ２５〜リレーレンズ６４を介して撮像素子６５に受光（投影）される。
【００９５】
　二次元撮像素子６５の出力は制御部７０に入力され、図３及び図４に示すように表示部７５には、二次元撮像素子６５によって撮像された前眼部像が表示される。なお、前眼部観察光学系６０は、被検眼に対する装置本体のアライメント状態を検出するための検出光学系を兼用する。
【００９６】
　なお、
孔あきミラー２２の穴周辺には、被検者眼の角膜上に光学アライメント指標
）を形成するための赤外光源
５５が配置されている
光源５５による角膜反射光は、被検者眼Ｅと
装置本体
との作動距離が適切となったときに、撮像素子３８の撮像面上に結像される
これにより、検者はモニタ
に眼底像が表示された状態で、光源５５により形成されるワーキングドットを用いてアライメントの微調整を行えるようになる
（引１オ）図２
（引１カ）図３
（２）引用文献１に記載された発明
　上記（１）の記載事項及び図面から、引用文献１には、次の発明（以下「引用発明」という。）が記載されていると認められる。
「　被検眼の眼底を撮影するための眼底撮影装置であって、
　眼底照明光学系１０と、眼底撮影光学系３０と、制御部と、を備え、制御部は、表示制御部として用いられ、眼底照明光学系１０及び眼底撮影光学系３０は、眼底カメラ光学系１００として用いられ、眼底撮影光学系３０は、被検眼の眼底画像を撮像し、
　眼底照明光学系１０は、観察照明光学系と撮影照明光学系を有し、
　撮影照明光学系は、撮影光源１４、コンデンサレンズ１５、リングスリット１７、リレーレンズ１８、ミラー１９、黒点板２０、リレーレンズ２１、孔あきミラー２２、対物レンズ２５を備え、
　観察照明光学系は、観察光源１１、赤外フィルタ１２、コンデンサレンズ１３、ダイクロイックミラー１６、リングスリット１７から対物レンズ２５までの光学系を備え、
　眼底撮影光学系３０は、対物レンズ２５、撮影絞り３１、フォーカシングレンズ３２、結像レンズ３３、撮像素子３５が配置され、撮影絞り３１は、孔あきミラー２２の開口近傍に位置し、撮影絞り３１は対物レンズ２５に関して被検眼Ｅの瞳孔と略共役な位置に配置され、結像レンズ３３と撮像素子３５の間には、ダイクロイックミラー３７が配置され、ダイクロイックミラー３７の反射方向には、撮像素子３８が配置されており、
　観察光源１１を発した光束は、被検眼Ｅの瞳孔付近で一旦収束した後、拡散して被検眼眼底部を照明し、眼底からの反射光は、眼底と共役位置に配置されている撮像素子３８に結像し、
　孔あきミラー２２の穴周辺には、被検者眼の角膜上に光学アライメント指標を形成するための赤外光源５５が配置され、赤外光源５５による角膜反射光は、被検者眼Ｅと装置本体との作動距離が適切となったときに、撮像素子３８の撮像面上に結像され、
　表示制御部は、撮像素子３８からの撮像信号に基づく眼底像をライブ画像として表示させ、撮像素子３８からの撮像信号に基づく光学アライメント指標を眼底像上に表示させ、
　これにより、検者はモニタに眼底像が表示された状態で、赤外光源５５により形成される光学アライメント指標を用いてアライメントの微調整を行えるようになる、
　眼底撮影装置。」
２　引用文献２について
　原査定の拒絶の理由に引用された引用文献２には、図面とともに次の事項が記載されている。
（引２ア）
「【００５５】
　＜観察光学系（ＳＬＯ光学系）＞
　次に、ダイクロイックミラー４０の透過方向に配置されたＳＬＯ光学系（共焦点光学系）３００について説明する。
ＳＬＯ光学系３００は、被検眼眼底の正面画像を取得するための観察光学系として用いられる
ＳＬＯ光学系３００は、照明光学系、受光光学系に大別される。照明光学系は、被検眼眼底を照明する
受光光学系は、照明光学系によって照明された被検眼の反射光を受光素子によって受光する
制御部７０は、受光素子から出力される受光信号に基づいて被検眼眼底の正面画像を得る
【００５６】
　光出射部６１は、第１の光源（ＳＬＯ光源）６１ａ、第２の光源（固視光源）６１ｂ、ミラー６９、ダイクロイックミラー１０１、を有する。
【００５７】
　ＳＬＯ光源６１ａは、高コヒーレントな光を発する光源であり、例えば、λ＝７８０ｎｍの光源（レーザダイオード光源やＳＬＤ光源等）が用いられる。固視光源６１ｂは、可視域の波長の光であり、例えば、λ＝６３０ｎｍの光源（レーザダイオード光源やＳＬＤ光源等）が用いられる。ＳＬＯ光源６１を出射したレーザ光は、ダイクロイックミラー１０１を透過し、コリメートレンズ１０２を介して、ビームスプリッタ６２に進む。固視光源６１ｂを出射した可視光は、ミラー６９によって折り曲げられた後、ダイクロイックミラー１０１によって反射され、ＳＬＯ光源６１ａから出射したレーザ光と同軸とされる。
【００５８】
　ＳＬＯ光源６１ａから発せられるレーザ光を被検眼Ｅに向けて出射する光路には、コリメートレンズ１０２、被検眼の屈折誤差に合わせて光軸方向に移動可能なフォーカシングレンズ６３、図示無き走査駆動機構の駆動により
眼底上でＸＹ方向に測定光を高速で走査させることが可能なガルバノミラーとポリゴンミラーとの組み合せからなる走査部６４
【００５９】
　また、ＳＬＯ光源６１ａとフォーカシングレンズ６３との間には、ビームスプリッタ６２が配置されている。そして、ビームスプリッタ６２の反射方向には、共焦点光学系を構成するための集光レンズ６６と、眼底に共役な位置に置かれる共焦点開口６７と、ＳＬＯ用受光素子６８とが設けられている。
【００６０】
　ここで、ＳＬＯ光源６１ａから発せられたレーザ光（測定光）は、ビームスプリッタ６２を透過した後、フォーカシングレンズ６３を介して、走査部６４に達し、ガルバノミラー及びポリゴンミラーの駆動により反射方向が変えられる。そして、走査部６４で反射されたレーザ光は、リレーレンズ６５を介して、ダイクロイックミラー４０を透過した後、対物レンズ１０を介して、被検眼眼底に集光される。
【００６１】
　そして、眼底で反射したレーザ光は、対物レンズ１０、リレーレンズ６５、走査部６４のガルバノミラー及びポリゴンミラー、フォーカシングレンズ６３を経て、ビームスプリッタ６２にて反射される。その後、集光レンズ６６にて集光された後、共焦点開口６７を介して、受光素子６８によって検出される。そして、受光素子６８にて検出された受光信号は制御部７０へと入力される。制御部７０は受光素子６８にて得られた受光信号に基づいて被検眼眼底の正面画像を取得する。取得された正面画像はメモリ７２に記憶される。なお、ＳＬＯ画像の取得は、走査部６４に設けられたガルバノミラーによるレーザ光の縦方向の走査（副走査）とポリゴンミラーによるレーザ光の横方向の走査（主走査）によって行われる。
【００６２】
　＜アライメント指標投影光学系＞
　
投影光学系１５０は、角膜に指標を投影するために用いられる
【００６３】
　＜前眼部観察光学系＞
　前眼部観察光学系９０は、眼Ｅを撮像し前眼部像を得るために配置されている。前眼部観察光学系９０は、対物レンズ１０、ダイクロイックミラー９１、結像レンズ９５、二次元撮像素子（二次元受光素子）９７を備える。
【００６４】
投影光学系１５０による前眼部反射光及びアライメント光束は、対物レンズ１０を介してダイクロイックミラー９１によって反射された後、結像レンズ９５を介して二次元撮像素子９７により受光される
【００６５】
　なお、本実施形態において、
投影光学系１５０及び前眼部観察光学系９０は、眼Ｅに対して装置本体３を所定の位置関係に誘導させるためのアライメント検出光学系として用いられる。例えば、投影光学系１５０及び前眼部観察光学系９０は、眼Ｅと装置本体３を所定の適正作動距離に誘導するために利用される
（引２イ）図１
３　引用文献３について
　原査定の拒絶の理由に引用された引用文献３には、図面とともに次の事項が記載されている。
（引３ア）第２頁右上欄第１７行〜第３頁右下欄第１３行
「（実施例）
　次に、この発明を図面に基づいて説明する。
　第１図〜第３図はこの発明の一実施例を示す
変倍式眼底カメラ
被検眼Ｅの眼底Ｒを照明するための照明光学系は、タングステンランプ等の観察用光源１から被検眼Ｅに至る光学系である
　観察用光源１から出た光束はコンデンサレンズ３で集光され、赤外フィルタ５で赤外光束とされ、キセノンランプ等の撮影用光源３５を透過してリング状絞り７に集光する。そして、このリング状絞り７から出射する光束は、リレーレンズ９によって中央に開孔を有する孔あきミラー１１の位置にリング絞り像を形成すると共に、この孔あきミラー１１で反射され、被検眼Ｅに対向して配置されている対物レンズ１３を介して被検眼Ｅの瞳孔に再びリング絞り像を形成し、瞳孔の周辺部から眼底Ｒを一様に赤外光束で照明する。なお、リング状絞り７とリレーレンズ９との間の眼底Ｒと共役な位置には後述する機能を有する黒点３６が設けられている。
　
照明された眼底Ｒの眼底像を観察・撮影する観察・撮影光学系は、眼底Ｒからフィルム１５および撮像装置１７に至る光学系である
　この撮像装置１１７は赤外光束により照明された眼底像を光電的に変換し、撮像装置１７からの電気信号により眼底像を可視像として表示するモニター装置３３に接続されており、検者はこのモニター装置３３によって眼底像を観察することができる。
　撮影を行う際には、赤外フィルタ５とリング状絞り７との間に置かれた撮影用光源３５を閃光させると同時に、クイックリターンミラー２５を図中破線で示したようにフィルム１５に至る光路から外部に跳ね上げる。これによって眼底Ｒからの反射光がフィルム１５に到達してこれを露光し、フィルム１５に眼底像が写し込まれる。
　ところで、変倍レンズ２１は種々の倍率の異なったレンズをターレット状の回転枠２２に取付けることによって構成されており、この回転枠２２を回転させることにより倍率の異なるレンズを光路中に入れ換えることができるようになっている。そして、レンズの入れ換えによるＦ値の変化に応じて撮影光源の必要光量も変化するため、撮影光の光量を決定するリング状絞り７も開口面積の異なる数種の内から適当なものを選択することにより光量調節ができるようになっている。
　なお、変倍レンズ２１としてはこの例で示したようなターレット式のユニットのみでなく、合焦レンズ１９との組合わせによるズームレンズユニットとして構成することもできる。
　一方、
対物レンズ１３を介して被検眼Ｅの角膜Ｓに向けてアライメント指標光束を投影する指標投影光学系は、発光素子５５から角膜Ｓに至る光学系であり、角膜Ｓによって反射された指標光束を撮像装置１７へ導く指標観察光学系と共にアライメント指標系を構成している
　５５は、アライメント指標光束投影のためのＬＥＤ等の発光素子であり、例えば７３０ｎｍの特定波長の近赤外光を発する。２つの凹面鏡５３は、２つの発光素子５５からの光束をそれぞれ集光し、
アライメント用指標であるピンホール５１の位置に発光素子５５の像を等倍で形成する
　
ピンホール５１は、被検眼Ｅが適正位置に配置された時に、被検眼Ｅの角膜曲率中心と共役となる位置に設けられており、ピンホール５１からは光軸に対してそれぞれ傾斜した２光束のアライメント指標光束が出射されることとなる
　
第１ダイクロイックミラー３７で反射された２つのアライメント指標光束は、撮影用絞り１８及び孔あきミラー１１の開孔を通過して対物レンズ１３に導かれ、被検眼Ｅが対物レンズ１３に対して適正位置となったとき、被検眼Ｅの角膜Ｓの曲率中心に２光束によるピンホール５１の像が重合して形成されるように投影される
　なお、ピンホール５１への光源の投光方式の変形例としては、第２図に示すように凹面鏡５３の代わりに凸レンズ５７を用いる構成、あるいは第３図に示すように２つの反射面を有する三角柱状の反射部材５９を用いる構成等が考えられる。
　
このように角膜Ｓに向けて投影されたアライメント指標光束は角膜Ｓにより反射され対物レンズ１３を介して再び第１ダイクロイックミラー３７に至り、この第１ダイクロイックミラー３７で反射されて投影レンズ３９に入射する
そして、ハーフミラー４１で反射して一旦角膜反射指標像を形成した後、リレーレンズ４３、第２ミラー４５及び第２ダイクロイックミラー４７を介して撮像装置１７に角膜反射指標像を形成する
（引３イ）第１図
４　その他の文献について
　また、令和２年１１月１８日付けの補正の却下の決定において引用された引用文献４（特開２０１３−１７９９７９号公報）には、図面とともに次の事項が記載されている。
（引４ア）
「【００１０】
　図２は
眼底撮影装置（眼底カメラ）
光学系は、照明光学系１０、眼Ｅの眼底観察・撮影を行う眼底観察・撮影光学系３０、眼Ｅの眼底にスプリット指標（フォーカス指標）を投影するスプリット指標投影光学系４０、眼Ｅの前眼部にアライメント用指標光束を投影するアライメント検出光学系５０、眼Ｅの前眼部を撮影する前眼部観察光学系６０、眼Ｅの視線を誘導する固視標呈示光学系７０から構成される
・・・
【００２８】
　
撮像素子６５は眼Ｅの瞳孔と（略）共役位置に置かれ、
アライメント検出光学系５０の光源の点灯で照明された前眼部（角膜）からの反射光を受光して眼Ｅと装置とのアライメント状態を検出する
【００２９】
　＜アライメント検出光学系＞
　
アライメント検出光学系５０は、前眼部観察光学系６０の光路を共有し、更に眼Ｅの前眼部にアライメント指標を投影するための赤外のアライメント用光源５１（５１ａ、５１ｂ）と、第２絞り６７を有する
・・・
【００５６】
　また
アライメント用光源５１は対物レンズ２５を介して眼にアライメント指標を投影出来る位置に設けられれば良く、前眼部観察光学系６０以外の光路中に置かれても良い。例えば撮影光学系や照明光学系の光路中に置かれても良い
光源５１が撮影光学系や照明光学系に置かれる場合、例えば図２のダイクロイックミラー２４に変えてハーフミラーを用いる
これによりアライメント指標がハーフミラーと対物レンズ２５を介して前眼部に投影され、その反射光が対物レンズ２５とハーフミラーを介して前眼部観察光学系６０に導かれるようになる
（引４イ）図２
第６　対比・判断
１　本願発明１について
（１）対比
　本願発明１と引用発明とを対比する。
ア
（ア）引用発明の「観察光源１１を発した光束は、被検眼Ｅの瞳孔付近で一旦収束した後、拡散して被検眼眼底部を照明」する「眼底照明光学系１０」は、本願発明１の「眼底に照明光を照射するための照射光学系」に相当する。
（イ）引用発明の「眼底からの反射光は、眼底と共役位置に配置されている撮像素子３８に結像」させる「眼底撮影光学系３０」は、本願発明１の「前記照明光による前記眼底からの光を受光素子に受光させる受光光学系」に相当する。
（ウ）引用発明の「眼底撮影光学系３０は、被検眼の眼底画像を撮像」する「眼底カメラ光学系１００」と、本願発明１の「前記受光素子からの受光信号に基づいて前記眼底の正面画像を取得するための走査型眼底撮影光学系」とは、「前記受光素子からの受光信号に基づいて前記眼底の正面画像を取得するための眼底撮影光学系」の点で共通する。
（エ）上記（ア）〜（ウ）での対比を踏まえると、引用発明の「観察光源１１を発した光束は、被検眼Ｅの瞳孔付近で一旦収束した後、拡散して被検眼眼底部を照明」する「眼底照明光学系１０」、「眼底からの反射光は、眼底と共役位置に配置されている撮像素子３８に結像」させる「眼底撮影光学系３０」を備え、「眼底撮影光学系３０は、被検眼の眼底画像を撮像」する「眼底カメラ光学系１００」と、本願発明１の「眼底に照明光を照射するための照射光学系、前記照明光による前記眼底からの光を受光素子に受光させる受光光学系、および、前記照射光学系と前記受光光学系との共通光路上の前眼部共役位置に配置されており、前記照明光を被検眼の眼底上で走査するための光スキャナ、を備え、前記受光素子からの受光信号に基づいて前記眼底の正面画像を取得するための走査型眼底撮影光学系」とは、「眼底に照明光を照射するための照射光学系、前記照明光による前記眼底からの光を受光素子に受光させる受光光学系、を備え、前記受光素子からの受光信号に基づいて前記眼底の正面画像を取得するための眼底撮影光学系」の点で共通する。
イ
（ア）引用発明では、「撮影絞り３１は、孔あきミラー２２の開口近傍に位置し、」「撮影絞り３１は対物レンズ２５に関して被検眼Ｅの瞳孔と略共役な位置に配置され」るから、「孔あきミラー２２」も「被検眼Ｅの瞳孔と略共役な位置に配置され」るといえる。
　すると、引用発明の「被検眼Ｅの瞳孔と略共役な位置に配置され」る「孔あきミラー２２の穴周辺に」「配置され」、その「角膜反射光は、被検者眼Ｅと装置本体との作動距離が適切となったときに、撮像素子３８の撮像面上に結像され」、「被検者眼の角膜上に光学アライメント指標を形成するための赤外光源５５」は、「被検眼Ｅの瞳孔と略共役な位置に配置され」るといえることから、本願発明１の「被検眼が予め定められた適正作動距離に位置するときの前眼部共役位置に配置されるアライメント光源」に相当する。
（イ）引用発明の「照明光学系１０」の「孔あきミラー２２の穴周辺に」「配置され」た「赤外光源５５」により「被検者眼の角膜上に光学アライメント指標を形成する」ことは、本願発明１の「前記アライメント光源からのアライメント光を前記照射光学系の光路を介して被検眼の角膜に向けて出射する」ことに相当する。
（ウ）引用発明の「赤外光源５５による角膜反射光は」、「撮像面上に結像され」る「撮像素子３８」は、本願発明１の「前記アライメント光源からのアライメント光による角膜反射像を撮像する撮像素子」に相当する。
（エ）引用発明の「眼底と共役位置に配置されている撮像素子３８」と、本願発明１の「前記受光素子とは別体で且つ眼底共役位置に配置された撮像素子」とは、「眼底共役位置に配置された撮像素子」の点で共通する。
（オ）引用発明の「被検眼Ｅの瞳孔と略共役な位置に配置され」ている「赤外光源５５による角膜反射光」を、「被検者眼Ｅと装置本体との作動距離が適切となったときに」、「眼底と共役位置に配置されている撮像素子３８の撮像面上に結像さ」せるための光学系は、前記作動距離に応じた眼底共役面での結像状態で撮像させるものであるから、本願発明１の「前記アライメント光の角膜反射像を、作動距離方向のアライメント状態に応じた眼底共役面での結像状態で撮像するためのアライメント指標形成光学系」に相当する。
（カ）上記（ア）〜（オ）での対比を踏まえると、引用発明の「被検眼Ｅの瞳孔と略共役な位置に配置され」る「孔あきミラー２２の穴周辺に」「配置され」、その「角膜反射光は、被検者眼Ｅと装置本体との作動距離が適切となったときに、撮像素子３８の撮像面上に結像され」、「被検者眼の角膜上に光学アライメント指標を形成するための赤外光源５５」を備え、「照明光学系１０」の「孔あきミラー２２の穴周辺に」「配置され」た「赤外光源５５」により「被検者眼の角膜上に光学アライメント指標を形成する」と共に、「赤外光源５５による角膜反射光は」、「撮像面上に結像され」る「撮像素子３８」であって「眼底と共役位置に配置されている撮像素子３８」を更に備え、「被検眼Ｅの瞳孔と略共役な位置に配置され」ている「赤外光源５５による角膜反射光」を、「被検者眼Ｅと装置本体との作動距離が適切となったときに」、「眼底と共役位置に配置されている撮像素子３８の撮像面上に結像さ」せるための光学系と、本願発明１の「被検眼が予め定められた適正作動距離に位置するときの前眼部共役位置に配置されるアライメント光源を備え、前記アライメント光源からのアライメント光を前記照射光学系の光路を介して被検眼の角膜に向けて出射すると共に、前記アライメント光源からのアライメント光による角膜反射像を撮像する撮像素子であって前記受光素子とは別体で且つ眼底共役位置に配置された撮像素子を更に備え、前記アライメント光の角膜反射像を、作動距離方向のアライメント状態に応じた眼底共役面での結像状態で撮像するためのアライメント指標形成光学系」とは、「被検眼が予め定められた適正作動距離に位置するときの前眼部共役位置に配置されるアライメント光源を備え、前記アライメント光源からのアライメント光を前記照射光学系の光路を介して被検眼の角膜に向けて出射すると共に、前記アライメント光源からのアライメント光による角膜反射像を撮像する撮像素子であって眼底共役位置に配置された撮像素子を更に備え、前記アライメント光の角膜反射像を、作動距離方向のアライメント状態に応じた眼底共役面での結像状態で撮像するためのアライメント指標形成光学系」の点で共通する。
ウ　引用発明の「撮像素子３８からの撮像信号に基づく眼底像をライブ画像として表示させ、撮像素子３８からの撮像信号に基づく光学アライメント指標を眼底像上に表示させ」る「表示制御部」は、本願発明１の「前記撮像素子によって撮像された角膜反射像と前記受光素子からの受光信号に基づく前記眼底の正面画像のライブ画像とを、随時、モニタ上に同時に表示する表示制御部」に相当する。
　してみると、本願発明１と引用発明とは、次の点で一致し、次の各点で相違する。
（一致点）
「　眼底に照明光を照射するための照射光学系、前記照明光による前記眼底からの光を受光素子に受光させる受光光学系、を備え、前記受光素子からの受光信号に基づいて前記眼底の正面画像を取得するための眼底撮影光学系と、
　被検眼が予め定められた適正作動距離に位置するときの前眼部共役位置に配置されるアライメント光源を備え、前記アライメント光源からのアライメント光を前記照射光学系の光路を介して被検眼の角膜に向けて出射すると共に、前記アライメント光源からのアライメント光による角膜反射像を撮像する撮像素子であって眼底共役位置に配置された撮像素子を更に備え、前記アライメント光の角膜反射像を、作動距離方向のアライメント状態に応じた眼底共役面での結像状態で撮像するためのアライメント指標形成光学系と、
　前記撮像素子によって撮像された角膜反射像と前記受光素子からの受光信号に基づく前記眼底の正面画像のライブ画像とを、随時、モニタ上に同時に表示する表示制御部と、
を備える眼底撮影装置。」
（相違点１）
　眼底撮影光学系は、本願発明１では、「前記照射光学系と前記受光光学系との共通光路上の前眼部共役位置に配置されており、前記照明光を被検眼の眼底上で走査するための光スキャナ」を備える「走査型」眼底撮影光学系であるのに対し、引用発明では、「眼底カメラ光学系１００」であって、「走査型」眼底撮影光学系ではない点。
（相違点２）
　アライメント指標形成光学系で用いる眼底共役位置に配置された撮像素子は、本願発明１では、眼底からの光を受光させる受光光学系の「受光素子とは別体」で設けられたものであるのに対し、引用発明では、「眼底画像を撮像」する「撮像素子３８」と兼用する点。
（相違点３）
　本願発明１では、「前記照射光学系における前記光スキャナと被検眼との間の光路に配置され、前記アライメント光の投受光光路を結合するダイクロイックミラー」を備えているのに対し、引用発明では、このような構成を備えていない点。
（２）判断
　事案に鑑み相違点２について検討する。
　引用文献２（上記第５の２参照。）及び引用文献４（上記第５の４参照。）では、アライメント光源からのアライメント光による角膜反射像を撮像する撮像素子は、眼底からの光を受光させる受光素子とは別体で設けられたものであるが、前眼部像を撮像するための前眼部共役位置に配置されており眼底共役位置に配置されていない。そして、当該撮像素子は前眼部像を撮像するためのものであるから、当該撮像素子を前眼部共役位置から眼底共役位置に変更することには阻害要因があるといえる。
　また、引用文献３（上記第５の３参照。）では、引用文献１と同様に、アライメント光源からのアライメント光による角膜反射像を撮像する撮像素子は、眼底像を撮像するため眼底共役位置に配置されているが、眼底からの光を受光させる受光光学系の受光素子とは別体でない。そして、当該受光素子とは別の撮像素子を新たに設けて別体とする動機は見当たらず、仮に当該受光素子とは別の撮像素子を新たに設けて別体とした場合、新たに設けた撮像素子は角膜反射像を撮像するためのものであるから角膜共役位置に配置することが自然であるといえる。
　以上のことから、上記相違点２に係る本願発明１の構成、すなわち、アライメント指標形成光学系で用いる眼底共役位置に配置された撮像素子を、眼底からの光を受光させる受光光学系の「受光素子とは別体」で設けられたものにすることは、引用文献２〜４に記載も示唆もなく、また当該構成が周知技術であるといえる証拠も見当たらない。
　よって、上記相違点２に係る本願発明１の構成は、引用発明及び引用文献２〜４に基づいて当業者が容易に想到し得ることではない。
（３）小括
　したがって、その余の相違点について判断するまでもなく、本願発明１は、当業者であっても引用発明及び引用文献２〜４に基づいて容易に発明できたものであるとはいえない。
２　本願発明２について
　本願発明２は、本願発明１を引用する発明であり、本願発明１の上記相違点２に係る発明特定事項を備えるものであるから、本願発明１と同じ理由により、当業者であっても、引用発明及び引用文献２〜４に基づいて容易に発明できたものであるとはいえない。
第７　原査定について
　上記「第５」で検討したように、本願発明１及び２は、引用発明及び引用文献２〜４に基づいて容易に発明できたものとはいえないから、拒絶査定において引用された引用文献１〜３に基づいて当業者が容易に発明できたものとはいえない。
　したがって、原査定を維持することはできない。
第８　むすび
　以上のとおり、原査定の理由によっては、本願を拒絶することはできない。
　また、他に本願を拒絶すべき理由を発見しない。
　よって、結論のとおり審決する。